(57)【要約】  配線モジュール２０であって、第２プロテクタ２６には、弾性変形可能な後側第１係止部５０と、前側第１係止部５３とが設けられており、カバー１４には、後側第１係止部５０の撓み空間６９内に配されて後側第１係止部５０が弾性変形することを抑制する後側抑制部６０と、前側第１係止部５３の撓み空間７０内に配されて前側第１係止部５３が弾性変形することを抑制する前側抑制部６１と、が設けられている。
2017179637.tif 000002
【特許請求の範囲】
【請求項１】
電極を備えた複数の蓄電素子を有する蓄電モジュールに取り付けられる配線モジュールであって、
前記電極に接続されるバスバーを備えると共に、絶縁性の材料からなるプロテクタと、
前記バスバーを覆うカバーと、を備え、
前記プロテクタには係止部が設けられており、
前記カバーには、前記係止部の撓み空間内に配された前記係止部が弾性変形することを抑制する抑制部が設けられている、配線モジュール。
【請求項２】
電極を備えた複数の蓄電素子を有する蓄電モジュールに取り付けられる配線モジュールであって、
前記電極に接続されたサブバスバーに接続されるバスバーを備えると共に、絶縁性の材料からなるプロテクタと、
前記バスバーを覆うカバーと、を備え、
前記プロテクタには係止部が設けられており、
前記カバーには、前記係止部の撓み空間内に配された前記係止部が弾性変形することを抑制する抑制部が設けられている、配線モジュール。
【請求項３】
前記抑制部はカバー側係止部を有する、請求項１または請求項２に記載の配線モジュール。
【請求項４】
前記抑制部は、前記係止部の前記撓み空間内に配された状態で、前記係止部に当接することで前記係止部が弾性変形することを抑制する当接壁を有する、請求項１から請求項３のいずれか一項に記載の配線モジュール。
【請求項５】
前記当接壁は、前記係止部と反対側の面に、前記係止部から離間する方向に延びる補強壁を有する、請求項４に記載の配線モジュール。
【請求項６】
前記抑制部は角筒状をなしている請求項１から請求項５のいずれか一項に記載の配線モジュール。
【請求項７】
前記バスバーには、ボルト又はナットが取り付けられている、請求項１から請求項６のいずれか一項に記載の配線モジュール。
【請求項８】
前記バスバーは、前記ボルト又は前記ナットが取り付けられる締結部を有し、
前記係止部は、前記ボルト又は前記ナットの軸線から、前記ボルト又は前記ナットの径方向に離間した位置に設けられている、請求項７に記載の配線モジュール。
【発明の詳細な説明】
【技術分野】
【０００１】
本明細書に開示された技術は、配線モジュールに関する。
【背景技術】
【０００２】
従来、配線モジュールとして特開２０１３−３３６３４号公報に記載のものが知られている。この配線モジュールは、複数の蓄電素子が並べられた蓄電素子群に取り付けられるものであって、蓄電素子の電極に接続される接続部材を備える。【０００３】
配線モジュールには位置決め部が形成されている。この位置決め部によって、蓄電素子群と、配線モジュールとが位置決めされるようになっている。
【先行技術文献】
【特許文献】
【０００４】
【特許文献１】特開２０１３−３３６３４号公報
【発明の概要】
【発明が解決しようとする課題】
【０００５】
位置決め部の係合構造として、位置決め部が弾性的に係合する構成が採用される場合がある。このような場合、配線モジュールに外力が加えられると、位置決め部が弾性変形し、位置決め部の係合が解除される虞がある。【０００６】
本明細書に開示された技術は上記のような事情に基づいて完成されたものである。
【課題を解決するための手段】
【０００７】
本明細書に開示された技術は、電極を備えた複数の蓄電素子を有する蓄電モジュールに取り付けられる配線モジュールであって、前記電極に接続されるバスバーを備えると共に、絶縁性の材料からなるプロテクタと、前記バスバーを覆うカバーと、を備え、前記プロテクタには係止部が設けられており、前記カバーには、前記係止部の撓み空間内に配された前記係止部が弾性変形することを抑制する抑制部が設けられている。【０００８】
上記の構成によれば、プロテクタに力が加えられた場合であっても、係止部の係止が外れる方向に弾性変形することが抑制される。これにより、プロテクタと蓄電モジュールとを確実に係止することができる。【０００９】
また、本明細書に開示された技術は、電極を備えた複数の蓄電素子を有する蓄電モジュールに取り付けられる配線モジュールであって、前記電極に接続されたサブバスバーに接続されるバスバーを備えると共に、絶縁性の材料からなるプロテクタと、前記バスバーを覆うカバーと、を備え、前記プロテクタには係止部が設けられており、前記カバーには、前記係止部の撓み空間内に配された前記係止部が弾性変形することを抑制する抑制部が設けられている。【００１０】
上記の構成によれば、蓄電素子の電極端子の構造に仕様変更があった場合でも、サブバスバーの形状を変更することにより、容易に対応することができる。また、バスバーについては、電極端子の仕様が異なる場合であっても共用することができるので、製造コストを低減させることができる。【００１１】
本明細書に開示された技術の実施態様としては以下の態様が好ましい。【００１２】
前記抑制部はカバー側係止部を有することが好ましい。【００１３】
上記の構成によれば、カバー側係止部によって抑制部が固定されるので、係止部が弾性変形することを確実に抑制することができる。【００１４】
前記抑制部は、前記係止部の前記撓み空間内に配された状態で、前記係止部に当接することで前記係止部が弾性変形することを抑制する当接壁を有することが好ましい。【００１５】
上記の構成によれば、当接壁が係止部に当接することにより、係止部が弾性変形することを確実に抑制することができる。【００１６】
前記当接壁は、前記係止部と反対側の面に、前記係止部から離間する方向に延びる補強壁を有することが好ましい。【００１７】
上記の構成によれば、当接壁が係止部と当接した場合に、当接壁が撓み変形することを抑制することができるので、係止部が弾性変形することを確実に抑制することができる。【００１８】
前記抑制部は角筒状をなしていることが好ましい。【００１９】
上記の構成によれば、抑制部は変形しにくい形状をなしているので、係止部が弾性変形することを確実に抑制することができる。【００２０】
前記バスバーには、ボルト又はナットが取り付けられている。【００２１】
上記の構成によれば、バスバーにボルト又はナットが取り付けられる際に、バスバーを介してプロテクタに力が加えられた場合でも、係止部が外れることを抑制することができる。【００２２】
前記バスバーは、前記ボルト又は前記ナットが取り付けられる締結部を有し、
前記係止部は、前記ボルト又は前記ナットの軸線から、前記ボルト又は前記ナットの径方向に離間した位置に設けられている構成としてもよい。【００２３】
ボルト又はナットが締結部に取り付けられる際に、絶縁プロテクタには、バスバーを介してボルト又はナットの捻回力が作用する。すると、ボルト又はナットの軸線から、ボルト又はナットの径方向に離間するにつれて、てこの原理によって捻回力は大きくなる。このため、係止部が、ボルト又はナットの軸線から、ボルト又はナットの径方向に離間した位置に設けられた場合には、係止部の係止が解除されやすくなることが懸念される。このような場合に、本明細書に開示された技術は有効である。
【発明の効果】
【００２４】
本明細書に開示された技術によれば、プロテクタと蓄電モジュールとを確実に係止することができる。
【図面の簡単な説明】
【００２５】
【図１】実施形態１に係る蓄電モジュールを示す平面図
【図２】図１におけるＩＩ−ＩＩ線断面図
【図３】蓄電素子群に接続用プロテクタを組み付けた状態を示す平面図
【図４】第１出力バスバーと、第２出力バスバーと、第１プロテクタと、第２プロテクタとを示す平面図
【図５】第２プロテクタを示す側面図
【図６】カバーを示す平面図
【図７】カバーを示す側面図
【図８】図６におけるＶＩＩＩ−ＶＩＩＩ線断面図
【図９】蓄電素子群に接続用プロテクタを組み付けた後、ボルトを電極のネジ孔に螺合した状態を示す平面図
【図１０】蓄電素子群に第２プロテクタを組み付けた状態を示す一部切欠断面図
【図１１】蓄電素子群に、接続用プロテクタ、第１プロテクタ、及び第２プロテクタを組み付けた後、ボルトを電極のネジ孔に螺合した状態を示す平面図
【図１２】実施形態２に係る蓄電モジュールについてカバーを外した状態を示す平面図
【図１３】蓄電素子群に接続用プロテクタを組み付けた状態を示す側面図
【図１４】実施形態２に係る蓄電モジュールを示す平面図
【図１５】実施形態２に係る蓄電モジュールを示す側面図
【図１６】カバーを示す断面図
【図１７】図１６におけるＸＶＩＩ−ＸＶＩＩ線断面図
【図１８】実施形態３に係る後側抑制部を示す断面図
【図１９】実施形態４に係る蓄電モジュールについてカバーを外した状態を示す平面図
【発明を実施するための形態】
【００２６】
＜実施形態１＞
本明細書に開示された技術の実施形態１を、図１ないし図１１を参照しつつ説明する。実施形態１に係る蓄電モジュール１０は、例えば、電気自動車やハイブリッド自動車等の車両の駆動源として使用される。以下の説明では、Ｘ方向を右方とし、Ｙ方向を前方とし、Ｚ方向を上方として説明する。また、複数の同一部材については、一の部材に符号を付し、他の部材については符号を省略することがある。
【００２７】
（蓄電素子１１）
蓄電素子１１の内部には、図示しない蓄電要素が収容されている。図３に示すように、蓄電素子１１の上面には、上方に突出した正極及び負極の電極１５が、前後に間隔を空けて並んでいる。電極１５は、略四角柱状を成している。電極１５の上面には、上下方向に延びるネジ孔１６が形成されている。
【００２８】
蓄電素子１１の上面には、前後方向について、各電極１５の内側の位置に、上下方向に穿孔された係止孔１７が形成されている。係止孔１７は有底孔とされている。係止孔１７は上方から見て四角形状をなしている。係止孔１７の孔縁部のうち前側の孔縁部は後方に張り出した前側張り出し部１８とされている。また、係止孔１７の孔縁部のうち後側の孔縁部は前方に張り出した後側張り出し部１９とされている。
【００２９】
複数の蓄電素子１１は左右方向に並んで配されて蓄電素子群１２を構成する。各蓄電素子１１は、隣り合う蓄電素子１１の前後方向の向きが逆向きとなるように配されている。これにより、隣り合う電極１５の極性は逆向きとなっている。
【００３０】
（配線モジュール２０）
図１１に示すように、蓄電素子群１２には、配線モジュール２０が取り付けられている。配線モジュール２０は、蓄電素子群１２の左端に位置する蓄電素子１１の後側に位置する電極１５に接続される第１出力バスバー２２（バスバーの一例）と、蓄電素子群１２の右端に位置する蓄電素子１１の前側に位置する電極１５に接続される第２出力バスバー２３（バスバーの一例）と、第１出力バスバー２２と第２出力バスバー２３を保持する第２プロテクタ２６（プロテクタの一例）と、第１出力バスバー２２、及び第２出力バスバー２３を覆うカバー１４と、を備える。
【００３１】
さらに、蓄電素子群１２には、隣り合う蓄電素子１１の正極と負極とを接続する複数の接続バスバー２１を保持する接続用プロテクタ２４と、第１出力バスバー２２を保持する第１プロテクタ２５とが、取り付けられている。
【００３２】
接続バスバー２１、第１出力バスバー２２、及び第２出力バスバー２３は、金属板材を所定の形状にプレス加工してなる。接続バスバー２１を構成する金属としては、銅、銅合金、ステンレス鋼（ＳＵＳ）、アルミニウム等の任意の金属を選択することができる。接続バスバー２１の表面には、スズ、ニッケル等のめっき層が形成されていてもよい。
【００３３】
（接続バスバー２１）
接続バスバー２１は、上方から見て、左右方向に細長い略長方形状をなしている。接続バスバー２１には、電極１５のネジ孔１６に連通する一対の挿通孔２７が上下方向に貫通されている。
【００３４】
（第１出力バスバー２２）
図４に示すように、第１出力バスバー２２は、上方から見て、左右方向に細長く延びた形状をなしている。第１出力バスバー２２の左端部には、前後方向に延びる電極接続部３０が形成されている。電極接続部３０の上端部寄りの位置には、電極１５のネジ孔１６に連通する挿通孔２８が上下方向に貫通されている。電極接続部３０の前端部には、右方に細長く延びる連結部３２が形成されている。連結部３２の右端部には、後方に屈曲すると共に後方に僅かに延びる出力部３３が形成されている。出力部３３の後端部は、上方に直角に屈曲した屈曲部３５とされる。屈曲部３５の前面には、ナット３７が固定されている。ナット３７は、屈曲部３５に、圧入、溶接等の公知の手法により取り付けられている。
【００３５】
（第２出力バスバー２３）
第２出力バスバー２３は、上方から見て、略Ｌ字状をなしている。第２出力バスバー２３は左右方向に延びる電極接続部３１を有する。電極接続部３１の左端部には、電極１５のネジ孔１６に連通する挿通孔２９が上下方向に貫通されている。電極接続部３１の右端部には、後方に延びる出力部が形成されている。出力部３４の後端部は、上方に直角に屈曲した屈曲部３６とされる。屈曲部３６の前面には、ナット３８が固定されている。ナット３８は、屈曲部３６に、圧入、溶接等の公知の手法により取り付けられている。
【００３６】
（接続用プロテクタ２４）
図３に示すように、接続用プロテクタ２４は、絶縁性の合成樹脂製であって、左右方向に並ぶ複数（本実施形態では２つ）のプロテクタユニット３９を連結することで構成されている。２つのプロテクタユニットのうち、左側に位置するものを左プロテクタユニット３９Ａとし、右側に位置するものを右プロテクタユニット３９Ｂとする。なお、左プロテクタユニット３９Ａと右プロテクタユニット３９Ｂに共通の構成については、プロテクタユニット３９として説明する。
【００３７】
プロテクタユニット３９の前端部と、後端部には、接続バスバー２１を保持する保持部４０が設けられている。保持部４０は接続バスバー２１の周囲を囲っている。プロテクタユニット３９の前端部、及び後端部には、それぞれ２つの保持部４０が形成されており、各保持部４０内には接続バスバー２１が保持されている。
【００３８】
プロテクタユニット３９の前端部に設けられた保持部４０と、後端部に設けられた保持部４０との間には、中間連結部４２が形成されている。換言すると、プロテクタユニット３９の前端部に設けられた保持部４０と、後端部に設けられた保持部４０とは、中間連結部４２によって連結されている。
【００３９】
プロテクタユニット３９の後端部に形成された保持部４０と、前端部に形成された保持部４０とは、左右方向について、蓄電素子１１の１つ分の幅寸法だけ、前端部に形成された保持部４０が左方にずれた位置に配されている。
【００４０】
プロテクタユニット３９の中間連結部４２には、接続用プロテクタ２４が蓄電素子群１２に取り付けられた状態で、蓄電素子１１の係止孔１７に対応する位置に、上下に貫通する窓部４３が形成されている。窓部４３は上方から見て略四角形状に形成されている。窓部４３からは、蓄電素子１１の係止孔１７が露出している。
【００４１】
右プロテクタユニット３９Ｂの中間連結部４２には、その後端部と前端部に、左方に突出する連結凸部４４が形成されている。連結凸部４４は、板状をなしている。一方、左プロテクタユニット３９Ａの中間連結部４２には、連結凸部４４に対応する位置に、連結凸部４４が挿入される連結凹部４５が形成されている。連結凸部４４が連結凹部４５内に挿入された状態で、連結凸部４４と連結凹部４５とは、図示しない係止構造によって係止するようになっている。
【００４２】
（第１プロテクタ２５）
図４に示すように、第１プロテクタ２５は、絶縁性の合成樹脂製であって、第１出力バスバー２２を保持する保持部４６を有する。保持部４６は、第１出力バスバー２２の電極接続部３０の周囲を囲っている。
【００４３】
第１プロテクタ２５の下端部には、下方に突出する係止部(図示せず)が設けられている。第１プロテクタ２５が蓄電素子群１２に取り付けられた状態で、係止部(図示せず)は、蓄電素子群１２のうち左から２番目に位置する蓄電素子１１の下側の係止孔１７Ａの内部に上方から挿入されるようになっている。係止部(図示せず)は、この係止孔１７Ａの前側張り出し部１８に下方から係止するようになっている。これにより、第１プロテクタ２５は、蓄電素子群１２に対して、上方に抜け止めされるようになっている。
【００４４】
（第２プロテクタ２６）
第２プロテクタ２６は、絶縁性の合成樹脂製であって、第１出力バスバー２２を保持する第１保持部４９Ａと、第２出力バスバー２３を保持する第２保持部４９Ｂと、を有する。
【００４５】
第１保持部４９Ａは、第１出力バスバー２２の出力部３３の周囲を囲っている。なお、第１出力バスバー２２の屈曲部３５に対応する領域からは、屈曲部３５が後方に露出するようになっている。また、第１出力バスバー２２の連結部３２に対応する領域からも、連結部３２が左方に延出されるようになっている。
【００４６】
第２保持部４９Ｂは、上方から見て略Ｌ字状をなしている。第２保持部４９Ｂは、第２出力バスバー２３の周囲を囲っている。なお、第２出力バスバー２３の電極接続部３１の左端部に対応する部分からは、第２出力バスバー２３の電極接続部３１が左方に突出するようになっている。また、第２出力バスバー２３の屈曲部３６に対応する領域からも、第２出力バスバー２３の屈曲部３６が後方に露出するようになっている。
【００４７】
第１保持部４９Ａと、第２保持部４９Ｂとは、中間連結部４８によって連結されている。中間連結部４８は、上方から見て、略長方形状をなしている。
【００４８】
図５に示すように、第２プロテクタ２６の後端部寄りの位置であって、左右方向の中央付近には、下方に突出する後側第１係止部５０（係止部の一例）が形成されている。後側第１係止部５０は、下方に延びると共に前後方向に弾性変形可能なアーム部５１と、このアーム部５１の下端部から前方に突出する係止爪５２と、を有する。
【００４９】
図１０に示すように、後側第１係止部５０は、右端部に位置する蓄電素子１１の後側の係止孔１７Ｂに上方から挿入されるようになっている。係止孔１７Ｂの前側張り出し部１８Ｂに、係止爪５２が下方から係止するようになっている。この係止孔１７の前側張り出し部１８Ｂがプロテクタ係止部とされる。
【００５０】
第２プロテクタ２６の中間連結部４２には、左前端部寄りの位置に、下方に突出する前側第１係止部５３（係止部の一例）が形成されている。前側第１係止部５３は、下方に延びると共に前後方向に弾性変形可能なアーム部５４と、このアーム部５４の下端部から後方に突出する係止爪５５と、を有する。
【００５１】
図１０に示すように、前側第１係止部５３は、右端部に位置する蓄電素子１１の前側の係止孔１７Ｃに上方から挿入されるようになっている。係止孔１７Ｃの後側張り出し部１９Ｃに、係止爪５５が下方から係止するようになっている。この係止孔１７Ｃの後側張り出し部１９Ｃがプロテクタ係止部とされる。
【００５２】
後側第１係止部５０が係止孔１７Ｂの前側張り出し部１８Ｂに係止すると共に、前側第１係止部５３が係止孔１７Ｃの後側張り出し部１９Ｃに係止することによって、第２プロテクタ２６が蓄電素子群１２に対して上方に抜け止めされるようになっている。
【００５３】
（カバー１４）
図６〜図８に示すように、カバー１４は、絶縁性の合成樹脂製であって、上壁５６と、上壁５６の側縁から下方に延びる側壁５７と、を有する。上述した接続用プロテクタ２４には、前方又は後方に突出する複数のロック部５８が形成されている。図１に示すように、カバー１４の側壁５７には、このロック部５８に対応する位置に、ロック部５８に弾性的に係止するロック受け部５９が形成されている。ロック受け部５９がロック部５８に弾性的に係止することによって、カバー１４は、接続用プロテクタ２４に一体に組み付けられるようになっている。
【００５４】
蓄電素子１１に対して、接続用プロテクタ２４、第１プロテクタ２５、及び第２プロテクタ２６が組み付けられた状態において、カバー１４は、上方から、接続用プロテクタ２４に組み付けられるようになっている。カバー１４が接続用プロテクタ２４に組み付けられた状態で、カバー１４の上壁５６は、接続用プロテクタ２４、第１プロテクタ２５、及び第２プロテクタ２６を上方から覆うようになっている。これにより、カバー１４によって、接続バスバー２１、第１出力バスバー２２、及び第２出力バスバー２３は上方から覆われるようになっている。
【００５５】
カバー１４が接続用プロテクタ２４に組み付けられた状態で、蓄電素子１１の係止孔１７Ｂ及び係止孔１７Ｃに対応する位置には、それぞれ、カバー１４の上壁５６から下方に延びる後側抑制部６０と、前側抑制部６１とが形成されている。後側抑制部６０は、カバー１４のうち右後端部寄りに設けられており、前側抑制部６１は、カバー１４のうち右前端部寄りに設けられている。
【００５６】
後側抑制部６０、及び前側抑制部６１は、上下に開口する角筒状に形成されている。後側抑制部６０の後壁の下端部には、後方に突出する後側第２係止部６２が形成されている。この後側第２係止部６２は、蓄電素子１１の係止孔１７Ｂの後側張り出し部１９Ｄに下方から係止するようになっている。この係止孔１７Ｂの後側張り出し部１９Ｄがカバー係止部とされる。また、前側抑制部６１の前壁の下端部には、前方に突出する前側第２係止部６３が形成されている。この前側第２係止部６３は、蓄電素子１１の係止孔１７Ｃの前側張り出し部１８Ｅに下方から係止するようになっている。この係止孔１７Ｃの前側張り出し部１８Ｅがカバー係止部とされる。
【００５７】
上記のように、後側抑制部６０の後側第２係止部６２が蓄電素子１１の係止孔１７Ｂの後側張り出し部１９Ｄに係止すると共に、前側抑制部６１の前側第２係止部６３が蓄電素子１１の係止孔１７Ｃの前側張り出し部１８Ｅに係止することにより、カバー１４が蓄電素子群１２に対して上方に抜け止めされるようになっている。換言すると、カバー１４は、接続用プロテクタ２４と、蓄電素子群１２の双方に組み付けられるようになっている。
【００５８】
図２に示すように、後側抑制部６０が蓄電素子１１の係止孔１７Ｂに上方から挿入された状態では、第２プロテクタ２６の後側第１係止部５０の後方には、後側抑制部６０が位置するようになっている。これにより、後側第１係止部５０が後方に弾性変形することが抑制されるようになっている。この結果、後側第１係止部５０の係止爪５２と、係止孔１７Ｂの前側張り出し部１８Ｂとの係合が外れることが抑制されるようになっている。
【００５９】
また、前側抑制部６１が蓄電素子１１の係止孔１７Ｃに上方から挿入された状態では、第２プロテクタ２６の前側第１係止部５３の前方には、前側抑制部６１が位置するようになっている。これにより、前側第１係止部５３が前方に弾性変形することが抑制されるようになっている。この結果、前側第１係止部５３の係止爪５５と、係止孔１７Ｃの後側張り出し部１９Ｃとの係合が外れることが抑制されるようになっている。
【００６０】
上記のように、係止孔１７Ｂには後側張り出し部１９Ｄが設けられており、後側抑制部６０には、後側張り出し部１９Ｄに係止する後側第２係止部６２が設けられている。また、係止孔１７Ｃには前側張り出し部１８Ｅが設けられており、前側抑制部６１には、前側張り出し部１８Ｅに係止する前側第２係止部６３が設けられている。
【００６１】
上記の構成によれば、後側抑制部６０の後側第２係止部６２が蓄電素子１１と係止するとともに、前側抑制部６１の前側第２係止部６３が蓄電素子１１と係止することにより、蓄電素子１１とカバー１４とが係止される。これにより、カバー１４は、蓄電素子１１に係止されるようになっている。
【００６２】
また、係止孔１７Ｂの前側張り出し部１８Ｂは後側第１係止部５０と係止するようになっており、係止孔１７Ｂの後側張り出し部１９Ｄは後側抑制部６０と係止するようになっている。また、係止孔１７Ｃの後側張り出し部１９Ｃは前側第１係止部５３と係止するようになっており、係止孔１７Ｃの前側張り出し部１８Ｅは前側抑制部６１と係止するようになっている。
【００６３】
上記の構成によれば、係止孔１７の孔縁部によって、第２プロテクタ２６と、カバー１４とを係止することができるので、第２プロテクタ２６を係止する部材と、カバー１４を係止する部材を別々に設ける場合に比べて、蓄電モジュール１０の構造を簡素化できるようになっている。
【００６４】
（ボルト締結構造）
図２に示すように、第１出力バスバー２２の屈曲部３５には、第１外部バスバー６４がボルト６５によって固定されている。第１外部バスバー６４は銅、銅合金等の金属製であって、図示しない外部機器に接続されている。ボルト６５が、屈曲部３５に固定されたナット３７に螺合されることにより、第１出力バスバー２２の屈曲部３５と、第１外部バスバー６４とが、接続されている。
【００６５】
第２出力バスバー２３の屈曲部３６には、第２外部バスバー６６がボルト６７によって固定されている。第２外部バスバー６６は銅、銅合金等の金属製であって、図示しない外部機器に接続されている。ボルト６７が、屈曲部３６に固定されたナット３８に螺合されることにより、第２出力バスバー２３の屈曲部３６と、第２外部バスバー６６とが、接続されている。
【００６６】
（実施形態の製造工程の一例）
続いて、本実施形態の製造工程の一例について説明する。なお、蓄電モジュール１０の製造工程は以下の記載に限定されない。
【００６７】
複数の蓄電素子１１を、隣り合う電極１５の極性が逆向きになるようにして左右方向に並べて蓄電素子群１２を形成する。
【００６８】
接続バスバー２１を、左プロテクタユニット３９Ａと、右プロテクタユニット３９Ｂの保持部４０に組み付ける。その後、右プロテクタユニット３９Ｂの連結凸部４４を、左プロテクタユニット３９Ａの連結凹部４５に挿入することにより、右プロテクタユニット３９Ｂと左プロテクタユニット３９Ａとを連結する。これにより接続用プロテクタ２４が形成される。
【００６９】
図３に示すように、蓄電素子群１２に上方から接続用プロテクタ２４を組み付ける。続いて、図９に示すように、ボルト６８を接続バスバー２１の挿通孔２７に挿通されると共に、電極１５のネジ孔１６に螺合させる。これにより、接続バスバー２１と、蓄電素子１１の電極１５とを接続する。
【００７０】
続いて、図１１に示すように、蓄電素子群１２に、上方から、第１プロテクタ２５を組み付ける。これにより、第１プロテクタ２５の係止部が係止孔１７の前側張り出し部１８に下方から上方から当接する。これにより、第１プロテクタ２５が蓄電素子群１２に組み付けられる。
【００７１】
続いて、図１１に示すように、蓄電素子群１２に、上方から第２プロテクタ２６を組み付ける。このとき、図１０に示すように、第２プロテクタ２６の後側第１係止部５０の係止爪５２が係止孔１７Ｂの前側張り出し部１８Ｂに上方から当接し、後方に弾性変形した後、復帰変形する。これにより、後側第１係止部５０の係止爪５２が係止孔１７Ｂの前側張り出し部１８Ｂに下方から当接する。なお、後側第１係止部５０の後方の空間は、後側第１係止部５０の撓み空間６９とされる。
【００７２】
一方、前側第１係止部５３の係止爪５５が係止孔１７Ｃの後側張り出し部１９Ｃに上方から当接し、前方に弾性変形した後、復帰変形する。これにより、前側第１係止部５３の係止爪５５が係止孔１７Ｃの後側張り出し部１９Ｃに下方から当接する。このように、前側第１係止部５３の前方の空間は、前側第１係止部５３の撓み空間７０とされる。
【００７３】
上記のようにして、第２プロテクタ２６が蓄電素子群１２に組み付けられる。
【００７４】
なお、図４には、第１出力バスバー２２を介して第１プロテクタ２５と第２プロテクタ２６が一体をなす構成が記載されているが、これは、第１出力バスバー２２と、第１プロテクタ２５及び第２プロテクタ２６との構成を示すために便宜的に示したものであって、第１出力バスバー２２によって、第１プロテクタ２５と第２プロテクタ２６とが一体をなす構成を示すものではない。
【００７５】
蓄電素子１１に組み付けられた第１プロテクタ２５及び第２プロテクタ２６に、第１出力バスバー２２を上方から組み付ける。また、第２プロテクタ２６に第２出力バスバー２３を上方から組み付ける。
【００７６】
その後、ボルト６８を、第１出力バスバー２２の挿通孔２８に挿通させると共に電極１５のネジ孔１６に螺合させることにより、第１出力バスバー２２と、蓄電素子１１の電極１５とを接続する。
【００７７】
また、ボルト６８を、第２出力バスバー２３の挿通孔２９に挿通させると共に電極１５のネジ孔１６に螺合させることにより、第２出力バスバー２３と、蓄電素子１１の電極１５とを接続する（図１１参照）。
【００７８】
続いて、図１に示すように、蓄電素子群１２に、接続用プロテクタ２４、第１プロテクタ２５、及び第２プロテクタ２６を組み付けた状態のものに、上方からカバー１４を組み付ける。
【００７９】
カバー１４のロック受け部５９が、接続用プロテクタ２４のロック部５８に上方から当接して弾性変形する。カバー１４を更に押し下げるとロック受け部５９が復帰変形してロック部５８と係合する。これにより、カバー１４と接続用プロテクタ２４とが組み付けられる。
【００８０】
また、カバー１４の後側抑制部６０が蓄電素子群１２の係止孔１７Ｂの後側張り出し部１９Ｄに上方から当接して、弾性変形した後、復帰変形し、後側抑制部６０の後側第２係止部６２が係止孔１７Ｂの後側張り出し部１９Ｄに下方から当接する。このとき、後側抑制部６０は、後側第１係止部５０の撓み空間６９内に位置して、後側第１係止部５０が弾性変形することを抑制するようになっている（図２参照）。
【００８１】
また、カバー１４の前側抑制部６１が蓄電素子群１２の係止孔１７Ｃの前側張り出し部１８Ｅに上方から当接して、弾性変形した後、復帰変形し、前側抑制部６１の前側第２係止部６３が係止孔１７Ｃの前側張り出し部１８Ｅに下方から当接する。このとき、前側抑制部６１は、前側第１係止部５３の撓み空間７０内に位置して、前側第１係止部５３が弾性変形することを抑制するようになっている（図２参照）。
【００８２】
その後、図２に示すように、第１出力バスバー２２の屈曲部３５に後方から第１外部バスバー６４を重ね、ボルト６５によって第１出力バスバー２２と第１外部バスバー６４とを固定する。また、第２出力バスバー２３の屈曲部３６に後方から第２外部バスバー６６を重ね、ボルト６７によって第２出力バスバー２３と第２外部バスバー６６とを固定する。以上により、蓄電モジュール１０が完成する。
【００８３】
（実施形態１の作用、効果）
続いて、本実施形態の作用、効果について説明する。本実施形態は、電極１５を備えた複数の蓄電素子１１を有する蓄電モジュール１０に取り付けられる配線モジュール２０であって、電極１５に接続される第１出力バスバー２２及び第２出力バスバー２３を備えると共に、絶縁性の材料からなる第２プロテクタ２６と、第１出力バスバー２２及び第２出力バスバー２３を覆うカバー１４と、を備え、第２プロテクタ２６には、蓄電モジュール１０に設けられた係止孔１７Ｂに係止する後側第１係止部５０と、蓄電モジュール１０に設けられた係止孔１７Ｃに係止する前側第１係止部５３とが設けられており、カバー１４には、後側第１係止部５０の撓み空間６９内に配されて後側第１係止部５０が弾性変形することを抑制する後側抑制部６０と、前側第１係止部５３の撓み空間７０内に配されて前側第１係止部５３が弾性変形することを抑制する前側抑制部６１とが設けられている。
【００８４】
上記の構成によれば、第２プロテクタ２６に力が加えられた場合であっても、後側第１係止部５０及び前側第１係止部５３が、係止孔１７Ｂ及び係止孔１７Ｃとの係止が外れる方向に弾性変形することが抑制される。これにより、第２プロテクタ２６と蓄電素子１１とを確実に係止することができる。
【００８５】
また、本実施形態によれば、バスバーには、第１外部バスバー６４がボルト６５によって第１出力バスバー２２に取り付けられており、また、第２外部バスバー６６がボルト６８によって第２出力バスバー２３に取り付けられている。
【００８６】
上記の構成によれば、第１外部バスバー６４及び第１出力バスバー２２にボルト６５が取り付けられる際、又は、第２外部バスバー６６及び第２出力バスバー２３にボルト６８が取り付けられる際に、第１出力バスバー２２又は第２出力バスバー２３を介して第２プロテクタ２６に力が加えられた場合でも、後側第１係止部５０と前側張り出し部１８Ｂとの係止が外れることを抑制することができると共に、前側第１係止部５３と後側張り出し部１９Ｃとの係止が外れることを抑制することができる。
【００８７】
本実施形態によれば、後側抑制部６０及び前側抑制部６１は角筒状をなしている。これにより、
【００８８】
上記の構成によれば、後側抑制部６０及び前側抑制部６１は変形しにくい形状をなしているので、後側第１係止部５０及び前側第１係止部５２が弾性変形することを確実に抑制することができる。
【００８９】
＜実施形態２＞
続いて、本明細書に開示された技術を蓄電モジュール１１０に適用した実施形態２について、図１２〜図１７を参照しつつ説明する。
【００９０】
（配線モジュール１２０）
図１２に示すように、蓄電素子群１２には、配線モジュール１２０が取り付けられている。配線モジュール１２０は、蓄電素子群１２の右端に位置する蓄電素子１１の後側に位置する電極１５に接続される第１出力バスバー１２２（バスバーの一例）と、蓄電素子群１２の左端に位置する蓄電素子１１の前側に位置する電極１５に接続される第２出力バスバー１２３（バスバーの一例）と、と、第１出力バスバー１２２と第２出力バスバー１２３を保持する出力用プロテクタ１２６（プロテクタの一例）と、第１出力バスバー１２２、及び第２出力バスバー１２３を覆うカバー１１４と、を備える。
【００９１】
（第１出力バスバー１２２）
図１２に示すように、第１出力バスバー１２２は、上方から見て、左右方向に細長く延びた形状をなしている。第１出力バスバー１２２の左端部には、電極１５のネジ孔１６に連通する挿通孔１２８が上下方向に貫通されている。第１出力バスバー１２２の右端部には、上方に直角に屈曲した締結部１７５が形成されている。締結部１７５には左右方向に貫通する貫通孔１８０が形成されている。この締結部１７５には、外部端子１８１が、重ねられた状態で、ボルト１８２及びナット１８３によって固定されている。上記した貫通孔１８０には、ボルト１８２が挿通されるようになっている。
【００９２】
（第２出力バスバー１２３）
第２出力バスバー１２３は、上方から見て、略Ｌ字状をなしている。第２出力バスバー１２３の左端部には、前後方向に延びる電極接続部１３０が形成されている。電極接続部１３０の下端部寄りの位置には、電極１５のネジ孔１６に連通する挿通孔１２８が上下方向に貫通されている。電極接続部１３０の後端部には、右方に細長く延びる連結部１３２が形成されている。連結部１３２の右端部には、上方に直角に屈曲した締結部１７６が形成されている。締結部１７６には左右方向に貫通する貫通孔１８４が形成されている。この締結部１７６には、外部端子１８５が、重ねられた状態で、ボルト１８６及びナット１８７によって固定されている。上記した貫通孔１８４には、ボルト１８６が挿通されるようになっている。
【００９３】
第２出力バスバー１２３の連結部１３２には、絶縁性の合成樹脂からなる保護部材１８８が、連結部１３２の下面及び側縁を覆って嵌着されている。この保護部材１８８によって、第２出力バスバー１２３の下面及び側縁は、蓄電素子群１２に対して絶縁されている。
【００９４】
（出力用プロテクタ１２６）
出力用プロテクタ１２６は、絶縁性の合成樹脂製であって、第１出力バスバー１２２を保持する第１保持部１４９Ａと、第２出力バスバー１２３を保持する第２保持部１４９Ｂと、を有する。
【００９５】
第１保持部１４９Ａは、第１出力バスバー１２２の周囲を囲っている。なお、第１出力バスバー１２２の締結部１７５に対応する領域からは、締結部１７５が右方に露出するようになっている。
【００９６】
第２保持部１４９Ｂは、上方から見て略Ｌ字状をなしている。第２保持部１４９Ｂは、第２出力バスバー１２３の周囲を囲っている。なお、第２出力バスバー１２３の締結部１７６に対応する領域からは、第２出力バスバー１２３の締結部１７６が右方に露出するようになっている。
【００９７】
図１３に示すように、出力用プロテクタ１２６の後端部寄りの位置には、下方に突出する後側第１係止部１５０（係止部の一例）が形成されている。後側第１係止部１５０は、下方に延びると共に前後方向に弾性変形可能なアーム部１５１と、このアーム部１５１の下端部から前方に突出する係止爪１５２と、を有する。
【００９８】
図１３に示すように、後側第１係止部１５０は、蓄電素子１１の後側の係止孔１７Ｂに上方から挿入されるようになっている。係止孔１７Ｂの前側張り出し部１８Ｂに、係止爪１５２が下方から係止するようになっている。この係止孔１７の前側張り出し部１８Ｂがプロテクタ係止部とされる。
【００９９】
出力用プロテクタ１２６には、前端部寄りの位置に、下方に突出する前側第１係止部１５３（係止部の一例）が形成されている。前側第１係止部１５３は、下方に延びると共に前後方向に弾性変形可能なアーム部１５４と、このアーム部１５４の下端部から後方に突出する係止爪１５５と、を有する。
【０１００】
図１３に示すように、前側第１係止部１５３は、蓄電素子１１の前側の係止孔１７Ｃに上方から挿入されるようになっている。係止孔１７Ｃの後側張り出し部１９Ｃに、係止爪１５５が下方から係止するようになっている。この係止孔１７Ｃの後側張り出し部１９Ｃがプロテクタ係止部とされる。
【０１０１】
後側第１係止部１５０が係止孔１７Ｂの前側張り出し部１８Ｂに係止すると共に、前側第１係止部１５３が係止孔１７Ｃの後側張り出し部１９Ｃに係止することによって、出力用プロテクタ１２６が蓄電素子群１２に対して上方に抜け止めされるようになっている。
【０１０２】
（カバー１１４）
図１４〜図１６に示すように、カバー１１４は、絶縁性の合成樹脂製であって、上壁１５６と、上壁１５６の側縁から下方に延びる側壁１５７と、を有する。図１４に示すように、ロック受け部１５９がロック部５８に弾性的に係止することによって、カバー１１４は、接続用プロテクタ２４に一体に組み付けられるようになっている。
【０１０３】
蓄電素子１１に対して、接続用プロテクタ２４、及び出力用プロテクタ１２６が組み付けられた状態において、カバー１１４は、上方から、接続用プロテクタ２４に組み付けられるようになっている。カバー１１４が接続用プロテクタ２４に組み付けられた状態で、カバー１１４の上壁１５６は、接続用プロテクタ２４、及び出力用プロテクタ１２６を上方から覆うようになっている。これにより、カバー１１４によって、接続バスバー２１、第１出力バスバー１２２、及び第２出力バスバー１２３は上方から覆われるようになっている。
【０１０４】
カバー１１４が接続用プロテクタ２４に組み付けられた状態で、蓄電素子１１の係止孔１７Ｂ及び係止孔１７Ｃに対応する位置には、それぞれ、カバー１１４の上壁１５６から下方に延びる後側抑制部１６０と、前側抑制部１６１とが形成されている。後側抑制部１６０は、カバー１１４のうち後端部寄りに設けられており、前側抑制部１６１は、カバー１４のうち前端部寄りに設けられている。
【０１０５】
図１５に示すように、後側抑制部１６０の後壁の下端部には、後方に突出する後側第２係止部１６２（カバー側係止部の一例）が形成されている。この後側第２係止部１６２は、蓄電素子１１の係止孔１７Ｂの後側張り出し部１９Ｄに下方から係止するようになっている。また、前側抑制部１６１の前壁の下端部には、前方に突出する前側第２係止部１６３（カバー側係止部の一例）が形成されている。この前側第２係止部１６３は、蓄電素子１１の係止孔１７Ｃの前側張り出し部１８Ｅに下方から係止するようになっている。
【０１０６】
上記のように、後側抑制部１６０の後側第２係止部１６２が蓄電素子１１の係止孔１７Ｂの後側張り出し部１９Ｄに係止すると共に、前側抑制部１６１の前側第２係止部１６３が蓄電素子１１の係止孔１７Ｃの前側張り出し部１８Ｅに係止することにより、カバー１１４が蓄電素子群１２に対して上方に抜け止めされるようになっている。換言すると、カバー１４は、接続用プロテクタ２４と、蓄電素子群１２の双方に組み付けられるようになっている。
【０１０７】
図１５に示すように、後側抑制部１６０が蓄電素子１１の係止孔１７Ｂに上方から挿入された状態では、出力用プロテクタ１２６の後側第１係止部１５０の後方には、後側抑制部１６０が位置するようになっている。これにより、後側第１係止部１５０が後方に弾性変形することが抑制されるようになっている。この結果、後側第１係止部１５０の係止爪１５２と、係止孔１７Ｂの前側張り出し部１８Ｂとの係合が外れることが抑制されるようになっている。
【０１０８】
後側抑制部１６０は、後側第１係止部１５０の後方に位置して、後側第１係止部１５０が後方に弾性変形しようとする際に当接する当接壁１８９を有する。当接壁１８９は、上壁１５６から下方に延びて形成されている。当接壁１８９の後面（後側第１係止部１５０と反対側の面）には、後方（後側第１係止部１５０と反対の方向）に延びる一対の補強壁１９０を有する。補強壁１９０は上壁１５６から下方に延びて形成されている。
【０１０９】
図１７に示すように、後側抑制部１６０は、断面が略Ｃ字状をなす当接壁１８９、及び補強壁１９０と、後側抑制部１６０の後壁とによって、概ね角筒状に形成されている。後側抑制部１６０の後壁と、補強壁１９０との間には、後側抑制部１６０の後壁が容易に撓み変形できるように隙間が形成されている。
【０１１０】
また、前側抑制部１６１が蓄電素子１１の係止孔１７Ｃに上方から挿入された状態では、出力用プロテクタ１２６の前側第１係止部１５３の前方には、前側抑制部１６１が位置するようになっている。これにより、前側第１係止部１５３が前方に弾性変形することが抑制されるようになっている。この結果、前側第１係止部１５３の係止爪１５５と、係止孔１７Ｃの後側張り出し部１９Ｃとの係合が外れることが抑制されるようになっている。
【０１１１】
前側抑制部１６１は、前側第１係止部１５３の後方に位置して、前側第１係止部１５３が前方に弾性変形しようとする際に当接する当接壁１９１を有する。当接壁１９１は、上壁１５６から下方に延びて形成されている。当接壁１９１の前面（前側第１係止部１５３と反対側の面）には、前方（前側第１係止部１５３と反対の方向）に延びる一対の補強壁１９２を有する。補強壁１９２は上壁１５６から下方に延びて形成されている。
【０１１２】
前側抑制部１６１の断面形状は、後側抑制部１６０と同じなので説明を省略する。
【０１１３】
（ボルト締結構造）
図１２に示すように、締結部１７５の貫通孔１８０に挿通されたボルト１８２の軸線と、締結部１７６の貫通孔１８４に挿通されたボルト１８６の軸線は、左右方向を向いている。
【０１１４】
図１５に示すように、ボルト１８２の軸線から、ボルト１８２の径方向に離間した位置に、後側第１係止部１５０が設けられている。そして、ボルト１８２をナット１８３に螺合されるために図１５において時計回り方向にボルト１８２を回転させると、この捻回力は第１出力バスバー１２２から出力用プロテクタ１２６へと伝達され、後側第１係止部１５０を上方へ引き上げる方向の力が加わるようになっている。このとき、後側第１係止部１５０の後方であって、後側第１係止部１５０の弾性撓み領域には、後側抑制部１６０が位置している。
【０１１５】
また、ボルト１８６の軸線から、ボルト１８６の径方向に離間した位置に、前側第１係止部１５３が設けられている。そして、ボルト１８６をナット１８７に螺合されるために図１５において時計回り方向にボルト１８６を回転させると、この捻回力は第２出力バスバー１２３から出力用プロテクタ１２６へと伝達され、前側第１係止部１５３を上方へ引き上げる方向の力が加わるようになっている。このとき、前側第１係止部１５３の前方であって、前側第１係止部１５３の弾性撓み領域には、前側抑制部１６１が位置している。
【０１１６】
上記以外の構成については、実施形態１と略同様なので、同一部材については同一符号を付し、重複する説明を省略する。
【０１１７】
続いて、本実施形態の作用、効果について説明する。
【０１１８】
本実施形態によれば、後側抑制部１６０の後壁の下端部には、後方に突出する後側第２係止部１６２が形成されている。また、前側抑制部１６１の前壁の下端部には、前方に突出する前側第２係止部１６３が形成されている。これにより、後側第２係止部１６２によって後側抑制部１６０が固定されると共に、前側第２係止部１６３によって前側抑制部１６１が固定される。この結果、ので、後側第１係止部１５０及び前側第１係止部１５３が弾性変形することを確実に抑制することができる。
【０１１９】
本実施形態によれば、後側抑制部１６０は、後側第１係止部１５０の撓み空間１６９内に配された状態で、後側第１係止部１５０に当接する当接壁１８９を有する。また、前側抑制部１６１は、前側第１係止部１５３の撓み空間１７０内に配された状態で、前側第１係止部１５３に当接する当接壁１９１を有する。これにより、当接壁１８９が後側第１係止部１５０に当接するとともに、当接壁１９１が前側第１係止部１５３に当接することにより、後側第１係止部１５０及び前側第１係止部１５３が弾性変形することを確実に抑制することができる。
【０１２０】
本実施形態によれば、当接壁１８９の後面には後方に延びる補強壁１９０が形成されている。また、当接壁１９１の前面には前方に延びる補強壁１９２が形成されている。これにより、当接壁１８９が後側第１係止部１５０と当接した場合に、当接壁１８９が撓み変形することを抑制することができると共に、当接壁１９１が前側第１係止部１５３と当接した場合に、当接壁１９１が撓み変形することを抑制することができる。これにより、後側第１係止部１５０及び前側第１係止部１５３が弾性変形することを確実に抑制することができる。
【０１２１】
本実施形態によれば、第１出力バスバー１２２は、ボルト１８２が取り付けられる締結部１７５を有し、後側第１係止部１５０は、ボルト１８２の軸線からボルト１８２の径方向に離間した位置に設けられている。また、第２出力バスバー１２３は、ボルト１８６が取り付けられる締結部１７６を有し、前側第１係止部１５３は、ボルト１８６の軸線からボルト１８６の径方向に離間した位置に設けられている。
【０１２２】
上記の構成によれば、ボルト１８２をナット１８３に螺合させるために図１５において時計回り方向（矢線Ａで示す方向）にボルト１８２を回転させると、この捻回力は第１出力バスバー１２２から出力用プロテクタ１２６へと伝達され、後側第１係止部１５０を上方へ引き上げる方向の力が加わるようになっている。このとき、ボルト１８２の軸線から、ボルト１８２の径方向について離間するにつれて、てこの原理によって捻回力は大きくなる。このため、後側第１係止部１５０が、ボルト１８２の軸線から、ボルト１８２の径方向に離間した位置に設けられた場合には、後側第１係止部１５０の係止が解除されやすくなることが懸念される。
【０１２３】
上記と同様に、ボルト１８６をナット１８７に螺合させるために図１５において時計回り方向（矢線Ｂで示す方向）にボルト１８６を回転させると、この捻回力は第２出力バスバー１２３から出力用プロテクタ１２６へと伝達され、前側第１係止部１５３を上方へ引き上げる方向の力が加わるようになっている。このとき、ボルト１８６の軸線から、ボルト１８６の径方向について離間するにつれて、てこの原理によって捻回力は大きくなる。このため、前側第１係止部１５３が、ボルト１８６の軸線から、ボルト１８６の径方向に離間した位置に設けられた場合には、前側第１係止部１５３の係止が解除されやすくなることが懸念される。
【０１２４】
上記のような場合に、本実施形態に係る技術は有効である。
【０１２５】
＜実施形態３＞
続いて、本明細書に開示された技術の実施形態３について、図１８を参照しつつ説明する。
【０１２６】
本実施形態においては、後側抑制部１９５は、当接壁１９６と、この当接壁１９６の後面から後方に延びる補強壁１９７を有する。当接壁１９６と補強壁１９７は、断面形状略Ｌ字状をなしている。
【０１２７】
上記以外の構成については、実施形態２と略同様なので、同一部材については同一符号を付し、重複する説明を省略する。
【０１２８】
＜実施形態４＞
続いて、本明細書に開示された技術の実施形態４について、図１９を参照しつつ説明する。
【０１２９】
図１９における左端部に位置する蓄電素子１１の電極１５には、第１出力バスバー２２が、第１サブバスバー２００を介して接続されている。第１サブバスバー２００は、上方から見て、略長方形状をなしている。第1サブバスバー２００の一方の端部（後端部）は、蓄電素子１１の電極１５の上に重ねられて、ボルト６８が貫通した状態で、電極１５に接続されている。
【０１３０】
また、第１サブバスバー２００の他方の端部（前端部）は、第１出力バスバー２２の左端部の下に配されて、ボルト６８が貫通した状態で、第１出力バスバー２２の左端部に接続されている。
【０１３１】
換言すると、電極１５と第１サブバスバー２００が接続されており、且つ、第１サブバスバー２００と第１出力バスバー２２とが接続されている。なお、第１サブバスバー２００の他方の端部には、図示しないナットが下面に配されていてもよく、また、いわゆるバーリング加工が施された挿通孔が設けられていてもよい。
【０１３２】
また、図１９における右端部に位置する蓄電素子１１の電極１５には、第２出力バスバー２３が、第２サブバスバー２０１を介して接続されている。第２サブバスバー２０１は、上方から見て、略長方形状をなしている。第２サブバスバー２００の一方の端部（左端部）は、蓄電素子１１の電極１５の上に重ねられて、ボルト６８が貫通した状態で、電極１５に接続されている。
【０１３３】
また、第２サブバスバー２０１の他方の端部（右端部）は、第２出力バスバー２３の左端部の下に配されて、ボルト６８が貫通した状態で、第２出力バスバー２３の左端部に接続されている。
【０１３４】
換言すると、電極１５と第２サブバスバー２０１が接続されており、且つ、第２サブバスバー２０１と第２出力バスバー２３とが接続されている。なお、第２サブバスバー２０１の他方の端部には、図示しないナットが下面に配されていてもよく、また、いわゆるバーリング加工が施された挿通孔が設けられていてもよい。
【０１３５】
上記以外の構成については、実施形態1と略同様なので、同一部材については同一符号を付し、重複する説明を省略する。
【０１３６】
本実施形態によれば、蓄電素子１１の電極端子１５の構造に仕様変更があった場合でも、第１サブバスバー２００、及び第２サブバスバー２０１の形状を変更することにより、容易に対応することができる。この場合、第1出力バスバー２２については、電極端子１５の仕様が異なる場合であっても共用することができる。また、第２出力バスバー２３についても、電極端子１５の仕様が異なる場合であっても共用することができる。このため、製造コストを低減させることができる。
【０１３７】
＜他の実施形態＞
本明細書に開示された技術は上記記述及び図面によって説明した実施形態に限定されるものではなく、例えば次のような実施形態も本明細書に開示された技術の技術的範囲に含まれる。
【０１３８】
（１）蓄電素子１１は、二次電池であってもよく、また、キャパシタであってもよい。
【０１３９】
（２）プロテクタ係止部と、カバー係止部とが、異なる蓄電素子１１に形成されている構成としてもよい。
【０１４０】
（３）カバー係止部は省略してもよい。
【０１４１】
（４）１つの配線モジュール２０に、１つ、２つ、３つ、又は５つ以上の第１係止部が設けられる構成としてもよい。
【０１４２】
（５）１つのカバー１４に、１つ、又は３つ以上の第２係止部が設けられる構成としてもよい。
【０１４３】
（６）カバー１４は、第２プロテクタ２６に、ネジ止め等、任意の手法により取り付けることができる。
【０１４４】
（７）本実施形態に係る抑制部は角筒状をなしているが、これに限られず、中実な角柱状をなしていてもよい。また、抑制部の断面形状は四角形状に限られず、円形状、三角形状等、任意の形状とすることができる。
【０１４５】
（８）配線モジュール２０には、電極１５に接続されて蓄電素子１１の状態を検知する検知端子と、この検知端子に接続された電線と、を備える構成としてもよい。
【０１４６】
（９）本実施形態においては、配線モジュール２０は、蓄電素子１１に取り付けられる構成としたが、これに限られず、配線モジュール２０は、第１プロテクタ２５に取り付けられる構成としてもよいし、また、接続用プロテクタ２４に取り付けられる構成としてもよく、蓄電素子群１２に取り付けられる任意の部材に取り付けられる構成とすることができる。
【０１４７】
（１０）本実施形態においては、第２プロテクタ２６に第１係止部が形成される構成としたが、これに限られず、第１プロテクタ２５、接続用プロテクタ２４に第１係止部が形成される構成としてもよいし、また、蓄電素子群１２に取り付けられる任意の部材に第１係止部が形成される構成としてもよい。
【０１４８】
（１１）本実施形態においては、係止孔及び張り出し部は蓄電素子の上面に設けられていたが、これに限られず、係止孔及び張り出し部は、蓄電素子に取り付けられた任意の部材に設けられる構成としてもよい。
【０１４９】
（１２）当接壁及び補強壁は、断面形状が略Ｔ字状、略Ｅ字状等、任意の形状とすることができる。
【符号の説明】
【０１５０】
１０、１１０：蓄電モジュール
１１：蓄電素子
１４、１１４：カバー
１５：電極
２０、１２０：配線モジュール
２２，１２２：第１出力バスバー（バスバー）
２３、１２３：第２出力バスバー（バスバー）
２６：第２プロテクタ（プロテクタ）
３７，３８：ナット
５０、１５０：後側第１係止部（係止部）
５３、１５３：前側第１係止部（係止部）
６０，１６０：後側抑制部（抑制部）
６１，１６１：前側抑制部（抑制部）
６５，６７、１８２、１８６：ボルト
６９，７０、１６９、１７０：撓み空間
１２６：出力用プロテクタ（プロテクタ）
２００：第１サブバスバー
２０１：第２サブバスバー
【図１】
2017179637.tif 000003
【図２】
2017179637.tif 000004
【図３】
2017179637.tif 000005
【図４】
2017179637.tif 000006
【図５】
2017179637.tif 000007
【図６】
2017179637.tif 000008
【図７】
2017179637.tif 000009
【図８】
2017179637.tif 000010
【図９】
2017179637.tif 000011
【図１０】
2017179637.tif 000012
【図１１】
2017179637.tif 000013
【図１２】
2017179637.tif 000014
【図１３】
2017179637.tif 000015
【図１４】
2017179637.tif 000016
【図１５】
2017179637.tif 000017
【図１６】
2017179637.tif 000018
【図１７】
2017179637.tif 000019
【図１８】
2017179637.tif 000020
【図１９】
2017179637.tif 000021
【国際調査報告】
2017179637.tif 000022
2017179637.tif 000023
2017179637.tif 000024
2017179637.tif 000025